(57)【特許請求の範囲】
【請求項１】
可撓性を有する合成樹脂材料によって形成され、上方に開口した粉末化粧料を収納する容器本体と、網体を係止環に掛け渡してなる網枠とからなり、該網枠を前記容器本体の開口部を覆うように取り付けて構成されるリフィル容器であって、前記網体と前記係止環との環状取付部は前記係止環より上方に突出させ、前記網体を前記係止環より高く位置させることを特徴とする網付リフィル容器。
【発明の詳細な説明】
【０００１】
【発明の属する技術分野】
本発明は、粉末化粧料を収容するための網付レフィル容器に関し、特に使用する際、かかる粉末化粧料を収容した内容器を変形させ、この変形によって表面の網目から適度な化粧料を取り出すことができるとともに、これを収容するコンパクト容器の蓋を閉めた場合、粉末化粧料の漏出を確実に防止することができる網付きリフィル容器に関する。
【０００２】
【従来の技術】
現在、ファンデーションや白粉等の粉末状化粧料は、上部開口部の係止環に網体を取り付けた皿型のリフィル容器に収容され、網体によって粉末化粧料の飛散を防止するとともに、網体の網目を通して適量の粉末化粧料をパフ等の化粧具に付着させて使用するできるように構成されている。
【０００３】
化粧具によりリフィル容器上面の網体を撫ぜて化粧料を付着させる際、容器本体の縁部と網体との溶着部での引っ掛かりを無くして使用感を向上させるために、図６に示すような、溶着部の段差をなくしたリフィル容器が提案されている。
【０００４】
図６に示すリフィル容器Ｘは、蓋体53Ａと本体53Ｂからなるコンパクト容器53内に収納されて使用される。リフィル容器Ｘは、粉末化粧料Ｋを収納する容器本体51と、係止環52ａにシート状の網体52ｂが張られた網枠52とから構成される。容器本体51は可撓性を有する樹脂により形成された、浅い皿状の容器であって、底部51ａと開口縁部51ｃとの間には緩やかなテーパ状の周側面51ｂを有している。
【０００５】
また、網枠52の係止環52ａは、前記容器本体51の開口縁部51ｃと略同じ径を有する環状体であって、側面が容器本体51の開口縁部51ｃを回り込んで、これに嵌合するようになっている。また、網体52ｂは係止環52ａを射出成形する際に、インサート成形の手法で一体に固定される。このとき、網体52の天面と係止環52ａとは面一となるように位置決めされ、両者の環状取付部52ｃは段差のない、フラットな状態となる。
【０００６】
係るリフィル容器Ｘを収納するコンパクト容器53は、蓋体53Ａ、容器本体53Ｂを組み立ててなる。これら蓋体53Ａ並びに容器本体53Ｂはそれぞれ一端にヒンジ部53ａ、53ｂを、また他端に係止突起53ｃ、53ｄを有し、ヒンジ部53ａ、53ｂ同士を枢着することにより、蓋体53Ａは容器本体53Ｂに対し開閉自在な構造となるとともに、係止突起53ｃ、53ｄを係合させれば、閉じた状態を維持することができる。
【０００７】
このコンパクト容器53の、本体53Ｂの開口部内周面には係止リング53ｆが形成されており、リフィル容器Ｘの係止環52ａ周側面に形成された係止突起52ｄが係合することにより、コンパクト容器53内にリフィル容器Ｘが固定される構造となっている。また、コンパクト容器53の蓋体53Ａの裏面には、弾性シートであるパッキン54が取り付けられており、蓋体53Ａを閉めた場合には、このパッキン54が網枠52に密着して粉末化粧料Ｋの漏出を防止する。
【０００８】
【発明が解決しようとする課題】
このように、従来のリフィル容器においては、コンパクト容器53の蓋体53Ａを閉じた際、パッキン54の下面が係止環52ａ並びに網体52ｂ表面に一定の圧力で面接し、密閉性を確保しなければならない。したがって、上記したような構造のリフィル容器Ｘを実用化する場合は、容器本体51の開口縁部51ｃ並びに網枠52の係止環52ａの成形精度が要求されることになり、反り等の変形が発生して精度が得られない場合は、密閉性に劣るリフィル容器となってしまうという問題点があった。
【０００９】
また、この解決方法として、係止環52ａと網体52ｂとの環状取付部52ｃの外周部を高くして、この部分を蓋体53Ａのパッキン54に密着させて密閉性を保つ方法も考えられ、かかる構造によれば、外周部が線状にパッキン54の表面に食い込むために、さほど高い精度は必要とされない。
【００１０】
しかしながら、かかる構造では、コンパクト容器53の蓋体53Ａを閉じた場合、リフィル容器Ｘの網体52ｂ表面とパッキン54との間に隙間が生じてしまうこととなり、コンパクト容器53を持ち運ぶとこの隙間に化粧料が溜まってしまい、蓋体53Ａを開けた際にパッキン54の裏面に付着した化粧料が飛散してしまうという問題点があった。
【００１１】
そこで、本発明は、蓋体による網枠部分の密閉性を確保することができ、化粧料の漏出を確実に防止することができ、かつリフィル容器を密閉する蓋体に多量の化粧料が付着しにくいリフィル容器を提案することをその目的とする。
【００１２】
【課題を解決するための手段】
本発明にかかる網付レフィル容器は、可撓性を有する合成樹脂材料によって形成され、上方に開口した粉末化粧料を収納する容器本体と、網体を係止環に掛け渡してなる網枠とからなり、該網枠を前記容器本体の開口部を覆うように取り付けて構成されるリフィル容器であって、前記網体と前記係止環との環状取付部は前記係止環より上方に突出させ、前記網体は前記係止環より高く位置させることにより上記課題を解決する。
【００１３】
【発明の実施の形態】
本発明の実施形態を、以下、図１乃至図４を用いて説明する。図１は本実施形態にかかるリフィル容器の斜視図、図２はかかるリフィル容器を収納したコンパクト容器の断面図、図３はリフィル容器の網枠周辺の結合部分の拡大断面図、そして図４は蓋体を開いた状態の同コンパクト容器の断面図である。
【００１４】
図１乃至図３に示すように、コンパクト容器３内には取り替え可能なリフィル容器Ａを収納しており、このリフィル容器Ａは、容器本体１と網枠２とから構成されている。容器本体１に収納される化粧料Ｋは、ファンデーションや白粉等の粉末状、または、多少湿気を含んだパテ状の化粧料である。
【００１５】
容器本体１は浅い皿状の容器であって、平らな底部１ａと、外側にくの字状に膨らんだ周側面１ｂと、開口縁部１ｃとから構成されている。容器本体１全体は、可撓性を有する合成樹脂材料、例えばウレタン等のエラストマ系の材料によって一体に形成されている。そのため、かかる容器本体１は上方から押圧すると、周側面１ｂが折り畳まれるように潰れ、収容した化粧料を底部１ａが上方へ押出すことができる。
【００１６】
次に、網枠２は、円形の環状体である係止環２ａの内側に、シート状の網体２ｂが張られた構造を有する。この網枠２は、係止環２ａの射出形成時、円形に切断した網体２ｂを金型内に配置し、一体化させるインサート成形の手法で形成される。この係止環２ａと網体２ｂとの環状取付部２ｃは立ち上がっており、網体２ｂの面は係止環２ａの面より高く位置する。すなわち、網体２ｂが係止環２ａより上方に浮き上がった構造となる（特に図３参照）。
【００１７】
このように形成された網枠２の係止環２ａは、前記容器本体１の開口縁部１ｃと略同じ径を有し、係止環２ａの周側面に形成された爪部２ｅが容器本体１の開口縁部１1 ｃの下側に回り込んで係合することにより、容器本体１と網枠２とを嵌合する構造となっている。また、係止環２ａの周側面には、リフィル容器Ａがコンパクト容器３から脱落することを防止する係止突起２ｄが形成されている。
【００１８】
以上説明したリフィル容器Ａはコンパクト容器３に収容される。このコンパクト容器３は、蓋体３Ａ、容器本体３Ｂを組み立ててなり、これら蓋体３Ａ並びに容器本体３Ｂはそれぞれ一端にヒンジ部３ａ、３ｂが、また他端に係止突起３ｃ、３ｄが形成されている。そして、これらヒンジ部３ａ、３ｂ同士を枢着することにより、蓋体３Ａは容器本体３Ｂに対し開閉自在な構造となるとともに、係止突起３ｃ、３ｄを係合させれば、閉じた状態を維持させることができる。なお、容器本体３Ｂ内の底部には、突出部３ｅが形成されており、リフィル容器Ａを容器本体３Ｂ内に収納すると、リフィル容器Ａはこの突出部３ｅ上に載置される。
【００１９】
コンパクト容器３の容器本体３Ｂの開口部内周面には係止リング３ｆが形成されており、リフィル容器Ａをこの容器本体３Ｂに嵌め込むと、前記した網枠２の周側面に形成された係止突起２ｄがこの係止リング３ｆの下側に周り込んで、リフィル容器Ａがコンパクト容器３から容易に脱落しない構造となっている。なお、リフィル容器Ａ内の化粧料Ｋを使い切り、新たなリフィル容器Ａに取り替える場合は、リフィル容器Ａの縁に力を加えて変形させることにより、係止突起２ｄと係止リング３ｆの係合を解除することができ、容易にこれを外すことができる。
【００２０】
コンパクト容器３の蓋体３Ａの裏面には、弾性を有するシート部材であるパッキン４が取り付けられている。このパッキン４は、蓋体３Ａを閉めることによって、リフィル容器Ａの網枠２の上面に密着することになり、網体２ｂの網目を全体に渡って塞ぐために、確実に化粧料Ｋの漏出を防止する。
【００２１】
図２乃至図４を用いて、本実施形態の作動を説明する。図２に示すように、保管する際、または持ち運ぶ際は、コンパクト容器３の蓋体３Ａは閉じられる。このとき、図３に示すように、蓋体３Ａの裏面に取り付けられたパッキン４は上方に立ち上がった網体２ｂ並びに環状取付部２ｃに当接して変形し、網体２ｂの網目並びにその周縁の環状取付部２ｃを確実に密閉する。
【００２２】
次に、図４に示すように、使用時、コンパクト容器３の蓋体３Ａを開いた場合は、パッキン４が蓋体３Ａとともに離脱し、リフィル容器Ａの網枠２を露出させる。そして、パフ等の化粧具６を、網枠２上に撫ぜつけることにより、適量の化粧料Ｋを化粧具６に付着させて使用する。
【００２３】
この際、化粧具６が網枠２を押圧するとリフィル容器Ａの容器本体１の底部１ａはコンパクト容器本体３Ｂの底部の突出部３ｅに当接して変形する。その際、リフィル容器Ａは、その周側面１ｂがくの字上に折れるように撓んで網体２ｂの位置が下がり、化粧料Ｋの残り量に応じて常に適量の化粧料Ｋを使用することができる。
【００２４】
このように、本実施形態のリフィル容器Ａにおいては、コンパクト容器３の蓋体３Ａを閉じた際、パッキン４が確実に網枠２表面に密着して、化粧料Ｋの漏出を防止することができる。
【００２５】
特に、従来例のように網体２ｂとパッキン４との間に空間が生じないので、コンパクト容器３を持ち運びする際にこの空間に化粧料が溜まり、蓋体３Ａを開いた際に、化粧料Ｋが飛散するといった不都合を防止することができる。
【００２６】
図５に、リフィル容器の一部構成を変えた、コンパクト容器の網枠周辺の拡大断面図を表示する。この図に示すように、リフィル容器Ｂの係止環２ａは、一段高くなった環状取付部２ｃの更に外側周縁に環状台部２ｆを設け、蓋体３Ａを閉めた際、この環状台部２ｆにおいてもパッキン４が圧接する構成となっている。
【００２７】
このため、かかるリフィル容器Ｂにおいては、環状取付部２ｃ並びに環状台部２ｆがパッキン４に接触して二重に密封されることになり、化粧料Ｋの漏出をより確実に防止することができる。なお、環状台部２ｆは環状取付部２ｃより低く設定され、パッキン４が圧接した際、環状台部２ｆがパッキン４を押し上げて、環状取付部２ｃの気密機能を損なうことがないようにしている。
【００２８】
また、これら環状取付部２ｃと環状台部２ｆとの間には環状溝部２ｇが形成されることになり、ここが化粧料Ｋの溜り部となるため、化粧具で網枠２を撫ぜつけても、化粧料Ｋが環状溝部２ｇを越えてコンパクト容器３外へ落ちることを防止することができる。
【００２９】
なお、上記したリフィル容器並びにコンパクト容器では、コンパクト容器の蓋体天面に直接パッキンを取付け、これをリフィル容器の網枠を密閉する構造としたが、この他、コンパクト容器に密閉用の中蓋を別体として設け、この裏面にパッキンを形成する構造としてもよいことは勿論である。また、その場合、中蓋と上蓋との間に、化粧具の収納スペースを形成してもよい。
【００３０】
【発明の効果】
以上説明したように、本発明のリフィル容器では、これを収納するコンパクト容器の蓋体を閉めた際、蓋体に取り付けられたパッキンが上方に立ち上がった網体並びに環状取付部全体に密着するために、リフィル容器の高い密閉性を確保することができ、化粧料の漏出を確実に防止することができる効果を有する。
【００３１】
また、本発明のリフィル容器は、パッキンとの間に隙間が生じないため、隙間に化粧料が溜まることがなく、使用時、蓋体を開いた際に、化粧料が飛散する等の不都合を防止することができる。
【図面の簡単な説明】
【図１】本発明の実施形態にかかるリフィル容器の一部断面斜視図である。
【図２】同リフィル容器を組み込んだ、蓋体を閉じた状態のコンパクト容器の側断面図である。
【図３】同コンパクト容器の網枠周辺の拡大断面図である。
【図４】蓋体を開いた状態の同コンパクト容器の側断面図である。
【図５】リフィル容器の他の構成例を示す、コンパクト容器の網枠周辺の拡大断面図である。
【図６】従来例のリフィル容器を組み込んだ、コンパクト容器の側断面図である。
【符号の説明】
Ａ、Ｂ    …リフィル容器（網付リフィル容器）
Ｋ    …化粧料
１    …容器本体
１ａ  …底部
１ｂ  …周側面
１ｃ  …開口縁部
２    …網枠
２ａ  …係止環
２ｂ  …網体
２ｃ  …環状取付部
３    …コンパクト容器
３Ａ  …蓋体
３Ｂ  …容器本体（コンパクト容器本体）
４    …パッキン
６    …化粧具
【図１】
0003866391.tif 000002
【図２】
0003866391.tif 000003
【図３】
0003866391.tif 000004
【図４】
0003866391.tif 000005
【図５】
0003866391.tif 000006
【図６】
0003866391.tif 000007